(57)【要約】【課題】既存の通信システムに対して大きな機能追加をすることなく、回線種別によらずＩｏＴデバイスを柔軟かつ統合管理が可能となるＩｏＴ−ＰＦを実現できるセルラー通信システム接続装置、通信システム、セルラー通信システム接続方法、及びプログラムを提供することを目的とする。【解決手段】本発明に係るセルラー通信システム接続装置は、非セルラーネットワークに接続されたＩｏＴデバイスの送受信パケットを仮想化されたセルラー端末の送受信パケットとし、仮想化されたセルラー基地局を介してセルラーネットワークの送受信パケットとすることで、非セルラーネットワークに接続されたＩｏＴデバイスをもＩｏＴ−ＰＦで管理可能とした。【選択図】図１
2019009546.tif 000002
【特許請求の範囲】
【請求項１】
非セルラーネットワークに接続された通信デバイスの送受信パケットをセルラーネットワークの送受信パケットとして扱う機能を有する１以上の仮想セルラー端末と、
前記仮想セルラー端末と前記セルラーネットワーク内のコア装置とを接続する１以上の仮想セルラー基地局と、
前記非セルラーネットワークに接続された通信デバイスの送受信パケットを前記仮想セルラー端末に振り分けるパケット振り分け部と、
前記仮想セルラー端末と前記仮想セルラー基地局との接続関係を制御して、前記非セルラーネットワークに接続された通信デバイスの送受信パケットを前記セルラーネットワークの送受信パケットとして前記セルラーネットワークとの間で転送する仮想端末収容制御部と、
を備えるセルラー通信システム接続装置。
【請求項２】
前記非セルラーネットワークに接続された通信デバイスと前記非セルラーネットワークとの接続状態を検知し、前記仮想セルラー端末の起動状態と前記接続関係を変更するように前記仮想端末収容制御部を制御するデバイス管理部をさらに備えることを特徴とする請求項１に記載のセルラー通信システム接続装置。
【請求項３】
前記仮想セルラー端末は、前記非セルラーネットワークに接続された通信デバイスの送受信パケットを前記非セルラーネットワークの送受信パケットとして前記非セルラーネットワークへ転送する機能をさらに有することを特徴とする請求項１又は２に記載のセルラー通信システム接続装置。
【請求項４】
セルラーネットワークと非セルラーネットワークとの間に配置され、
前記非セルラーネットワークに接続された通信デバイスの送受信パケットを前記セルラーネットワークの送受信パケットとして扱う機能を有する１以上の仮想セルラー端末、及び前記仮想セルラー端末と前記セルラーネットワーク内のコア装置とを接続する１以上の仮想セルラー基地局を形成し、
前記非セルラーネットワークに接続された通信デバイスの送受信パケットを前記仮想セルラー端末に振り分け、前記仮想セルラー端末と前記仮想セルラー基地局との接続関係を制御して、前記非セルラーネットワークに接続された通信デバイスの送受信パケットを前記セルラーネットワークの送受信パケットとして前記セルラーネットワークとの間で転送するセルラー通信システム接続装置
を備える通信システム。
【請求項５】
非セルラーネットワークに接続された通信デバイスの送受信パケットをセルラーネットワークの送受信パケットとして扱う機能を有する１以上の仮想セルラー端末、及び前記仮想セルラー端末と前記セルラーネットワーク内のコア装置とを接続する１以上の仮想セルラー基地局を形成し、
前記非セルラーネットワークに接続された通信デバイスの送受信パケットを前記仮想セルラー端末に振り分け、前記仮想セルラー端末と前記仮想セルラー基地局との接続関係を制御して、前記非セルラーネットワークに接続された通信デバイスの送受信パケットを前記セルラーネットワークの送受信パケットとして前記セルラーネットワークとの間で転送することを特徴とするセルラー通信システム接続方法。
【請求項６】
コンピュータを請求項１から３のいずれかに記載のセルラー通信システム接続装置として機能させるためのプログラム。
【発明の詳細な説明】
【技術分野】
【０００１】
本開示は、非セルラー通信システムにおいて、セルラー通信システムの有するＩｏＴ−ＰＦに接続するためのＩｏＴ−ＰＦ接続機能を具備するセルラー通信システム接続装置、通信システム、セルラー通信システム接続方法、及びプログラムに関するものである。
【背景技術】
【０００２】
近年、ＩＰデータ通信だけではなくＩｏＴ（Ｉｎｔｅｒｎｅｔ  ｏｆ  Ｔｈｉｎｇｓ）／Ｍ２Ｍ  （Ｍａｃｈｉｎｅ  ｔｏ  Ｍａｃｈｉｎｅ）、４Ｋ／８Ｋ高精細映像配信サービス、オンラインゲーム等、多種多様なアプリケーションやサービスが急速に普及してきた。特にコンピュータなどの情報／通信機器だけでなく、世の中に存在する様々な「モノ」に通信機能を持たせ、相互に通信を行うことにより、自動認識、自動制御、遠隔計測などを行うＩｏＴの普及は急速に進んでいる。
【０００３】
ＩｏＴでは、多くのＩｏＴデバイスを広いエリアに配備する必要があることから、ＩｏＴデバイスをどのように管理するかという管理方法の確立が重要となる。この点を解決する方法の一つとして、ＬＴＥや３Ｇ等のセルラー通信システムで提供されているＩｏＴ−ＰＦ（ＰｌａｔＦｏｒｍ）がある。ＩｏＴ−ＰＦは、ＨＬＲ（Ｈｏｍｅ  Ｌｏｃａｔｉｏｎ  Ｒｅｇｉｓｔｅｒ）やＨＳＳ（Ｈｏｍｅ  Ｓｕｂｓｃｒｉｂｅｒ  Ｓｅｒｖｅｒ）といったセルラー通信システムが有する端末の通信状態や位置情報、契約状態を管理する加入者ＤＢ（ＤａｔａＢａｓｅ）の情報を活用することにより、セルラー通信システムを利用するＩｏＴデバイス（以下、総称してセルラーデバイスと呼ぶ）の通信状態監視や、通信回線の開通・停止、位置情報管理を実現している。
【０００４】
一方で、ＩｏＴのユースケースは様々な性格を持ったものが存在するため、セルラー通信システム以外の通信システム（以下、総称して非セルラー通信システムと呼ぶ）を利用するＩｏＴデバイス（以下、総称して非セルラーデバイスと呼ぶ）もある。例えば、センサ等の小型かつ多量に配備されるＩｏＴデバイスの場合は、通信デバイスの消費電力および価格の抑制を実現するセルラー以外の無線通信システムを利用する。また、１つのＩｏＴデバイスで複数の情報を取得したり、映像のような大容量データを送信したりするような場合は、送信データ量あたりの価格が安価で高スループットを実現する光ファイバ通信システムを提供する。
【０００５】
しかしながら、２０１７年現在、非セルラー通信システムにおいてＩｏＴ−ＰＦは提供されていない。その理由の一つとして、非セルラー通信システムでは端末と通信システム間でやり取りするＣ−Ｐｌａｎｅ（Ｃｏｎｔｒｏｌ−Ｐｌａｎｅ）プロトコルが無く、ＨＬＲやＨＳＳのような加入者ＤＢが存在していないことが挙げられる。そのため、非セルラー通信システムでＩｏＴ−ＰＦを提供するためには、端末と通信システム間でやり取りするＣ−Ｐｌａｎｅプロトコルの実現と加入者ＤＢの構築を行わなければならない。
【０００６】
また、ＩｏＴを実施するユーザの中には非セルラーデバイスとセルラーデバイス両方を用いるユーザも存在する。その場合、セルラー通信システムまたは非セルラー通信システム単独でＩｏＴ−ＰＦを実現したとしても、セルラーデバイスと非セルラーデバイスを統合して管理することができない。
【０００７】
さらに、非セルラー通信システムを利用するＩｏＴデバイスの場合、一つのデバイスで複数の情報を取得したり、小型の同一デバイスが多量に配置されることがある。その場合、現状の端末ベースで管理するＩｏＴ−ＰＦは運用に適していない。具体的には一つのＩｏＴデバイスを複数のデバイスに見立てて管理したり、複数のＩｏＴデバイスを一括管理としたりすることが求められるが、端末ベースの管理ではそれが実現できない。
【０００８】
したがって、既存の通信システムに対して大きな機能追加をすることなく、回線種別によらずＩｏＴデバイスを柔軟かつ統合管理が可能となるＩｏＴ−ＰＦの実現が求められている。
【０００９】
例えば、使用する回線種別によらず統合的に端末を管理する方法として特許文献１に示すような複数の通信システム間で端末情報をやり取りする方式が存在する。特許文献１では通信システムが有する加入者ＤＢを複数の通信システム間でやり取りできるようにすることで、統合的なＩｏＴ−ＰＦの提供を実現できる。
【００１０】
また、ＷｉＦｉなどの非セルラー通信システムをセルラー通信システムのように利用する方法として、非特許文献１に示すようなセルラーのプロトコルを非セルラーのプロトコルでカプセリングする方式が存在する。非特許文献１に示す方法により、非セルラーデバイスをセルラー通信システムに収容することで、セルラー通信システムが提供するＩｏＴ−ＰＦで非セルラーデバイスを管理することが可能となる。
【先行技術文献】
【特許文献】
【００１１】
【特許文献１】特開２００１−２８５３７２号公報
【非特許文献】
【００１２】
【非特許文献１】ワイヤレスゲート、「ＬＴＥ  ｏｖｅｒ  Ｗｉ−Ｆｉ」でＩｏＴ向け通信サービス（“ｈｔｔｐ：／／ｋ−ｔａｉ．ｗａｔｃｈ．ｉｍｐｒｅｓｓ．ｃｏ．ｊｐ／ｄｏｃｓ／ｎｅｗｓ／１０２３０２０．ｈｔｍｌ”、２０１７年６月５日検索）
【発明の概要】
【発明が解決しようとする課題】
【００１３】
しかし、特許文献１の方法はデータベースの同期方法について述べているのみであり、各通信システムが有するデータベースの情報が不足している場合には新たな情報を追加できるようにしなければならないことから、既存の通信システムに大きな機能追加が必要という課題がある。また、端末ベースの管理となってしまうため、柔軟な管理を実現することもできないという課題もある。
【００１４】
また、非特許文献１の方法は非セルラーデバイスとセルラーデバイスの統合管理を実現するものの、端末ベースの管理となってしまうため柔軟なデバイス管理を実現することが困難という課題がある。また、セルラープロトコルのカプセリング機能を多くの非セルラーデバイスに実装することは非常に大きな機能追加が必要という課題がある。
【００１５】
そこで、上記課題を解決すべく、本発明は、既存の通信システムに対して大きな機能追加をすることなく、非セルラーデバイスとセルラーデバイスの統合管理を可能とするセルラー通信システム接続装置、通信システム、セルラー通信システム接続方法、及びプログラムを提供することを目的とする。
【課題を解決するための手段】
【００１６】
上記目的を達成するために、本発明に係るセルラー通信システム接続装置は、非セルラーネットワークに接続されたＩｏＴデバイスの送受信パケットを仮想化されたセルラー端末の送受信パケットとし、仮想化されたセルラー基地局を介してセルラーネットワークの送受信パケットとして扱うことを可能とした。
【００１７】
具体的には、本発明に係るセルラー通信システム接続装置は、
非セルラーネットワークに接続された通信デバイスの送受信パケットをセルラーネットワークの送受信パケットとして扱う機能を有する１以上の仮想セルラー端末と、
前記仮想セルラー端末と前記セルラーネットワーク内のコア装置とを接続する１以上の仮想セルラー基地局と、
前記非セルラーネットワークに接続された通信デバイスの送受信パケットを前記仮想セルラー端末に振り分けるパケット振り分け部と、
前記仮想セルラー端末と前記仮想セルラー基地局との接続関係を制御して、前記非セルラーネットワークに接続された通信デバイスの送受信パケットを前記セルラーネットワークの送受信パケットとして前記セルラーネットワークとの間で転送する仮想端末収容制御部と、
を備える。
【００１８】
また、本発明に係る通信システムは、
セルラーネットワークと非セルラーネットワークとの間に配置され、
前記非セルラーネットワークに接続された通信デバイスの送受信パケットを前記セルラーネットワークの送受信パケットとして扱う機能を有する１以上の仮想セルラー端末、及び前記仮想セルラー端末と前記セルラーネットワーク内のコア装置とを接続する１以上の仮想セルラー基地局を形成し、
前記非セルラーネットワークに接続された通信デバイスの送受信パケットを前記仮想セルラー端末に振り分け、前記仮想セルラー端末と前記仮想セルラー基地局との接続関係を制御して、前記非セルラーネットワークに接続された通信デバイスの送受信パケットを前記セルラーネットワークの送受信パケットとして前記セルラーネットワークとの間で転送するセルラー通信システム接続装置
を備える。
【００１９】
また、本発明に係るセルラー通信システム接続方法は、
非セルラーネットワークに接続された通信デバイスの送受信パケットをセルラーネットワークの送受信パケットとして扱う機能を有する１以上の仮想セルラー端末、及び前記仮想セルラー端末と前記セルラーネットワーク内のコア装置とを接続する１以上の仮想セルラー基地局を形成し、
前記非セルラーネットワークに接続された通信デバイスの送受信パケットを前記仮想セルラー端末に振り分け、前記仮想セルラー端末と前記仮想セルラー基地局との接続関係を制御して、前記非セルラーネットワークに接続された通信デバイスの送受信パケットを前記セルラーネットワークの送受信パケットとして前記セルラーネットワークとの間で転送することを特徴とする。
【００２０】
本発明は、セルラーネットワークと非セルラーネットワークとの間にセルラー通信システム接続装置を配置し、相互間でパケットの形式を変換する。このため、既存の通信システムに対して大きな機能追加が不要であり、回線種別によらず通信デバイスをセルラーネットワークにて統合管理が可能となる。
【００２１】
従って、本発明は、既存の通信システムに対して大きな機能追加をすることなく、非セルラーデバイスとセルラーデバイスの統合管理を可能とするセルラー通信システム接続装置、通信システム、セルラー通信システム接続方法、及びプログラムを提供することができる。
【００２２】
本発明に係るセルラー通信システム接続装置は、前記非セルラーネットワークに接続された通信デバイスと前記非セルラーネットワークとの接続状態を検知し、前記仮想セルラー端末の起動状態と前記接続関係を変更するように前記仮想端末収容制御部を制御するデバイス管理部をさらに備えることを特徴とする。本セルラー通信システム接続装置は、デバイス管理部を備えることで、セルラーネットワークにて非セルラーデバイスの状態を管理することが可能となる。
【００２３】
本発明に係るセルラー通信システム接続装置の前記仮想セルラー端末は、前記非セルラーネットワークに接続された通信デバイスの送受信パケットを前記非セルラーネットワークの送受信パケットとして前記非セルラーネットワークへ転送する機能をさらに有することを特徴とする。本セルラー通信システム接続装置は、通信の内容に応じてセルラー通信システムと非セルラー通信システムを使い分けて情報をデータサーバに収集可能とする。
【００２４】
本発明に係るプログラムは、コンピュータを前記セルラー通信システム接続装置として機能させるためのプログラムである。本発明に係るセルラー通信システム接続装置はコンピュータとプログラムによっても実現でき、プログラムを記録媒体に記録することも、ネットワークを通して提供することも可能である。
【発明の効果】
【００２５】
本発明は、既存の通信システムに対して大きな機能追加をすることなく、非セルラーデバイスとセルラーデバイスの統合管理を可能とするセルラー通信システム接続装置、通信システム、セルラー通信システム接続方法、及びプログラムを提供することができる。
【図面の簡単な説明】
【００２６】
【図１】本発明に係る通信システムを説明する図である。
【図２】本発明に係るセルラー通信システム接続装置が備えるパケット振り分けテーブルを説明する図である。
【図３】本発明に係るセルラー通信システム接続装置が備える端末設定テーブルを説明する図である。
【図４】本発明に係るセルラー通信システム接続装置が備える仮想端末収容テーブルを説明する図である。
【図５】本発明に係るセルラー通信システム接続装置が備える基地局設定テーブルを説明する図である。
【図６】ＩｏＴ−ＰＦのデバイス管理テーブルを説明する図である。
【図７】本発明に係るセルラー通信システム接続方法を説明する図である。
【図８】本発明に係るセルラー通信システム接続方法を説明する図である。
【図９】セルラーネットワークの基地局ＤＢを説明する図である。
【図１０】本発明に係るセルラー通信システム接続方法を説明する図である。
【図１１】セルラーネットワークの加入者ＤＢを説明する図である。
【図１２】本発明に係るセルラー通信システム接続方法を説明する図である。
【図１３】ＩｏＴ−ＰＦのＩｏＴデバイス管理ＤＢを説明する図である。
【図１４】本発明に係るセルラー通信システム接続方法を説明する図である。
【図１５】本発明に係るセルラー通信システム接続方法を説明する図である。
【図１６】ＩｏＴ−ＰＦのＩｏＴデバイス管理ＤＢを説明する図である。
【図１７】本発明に係るセルラー通信システム接続方法を説明する図である。
【図１８】本発明に係るセルラー通信システム接続方法を説明する図である。
【図１９】本発明に係る通信システムにおける送受信パケットを説明する図である。
【図２０】本発明に係る通信システムにおける送受信パケットを説明する図である。
【図２１】本発明に係る通信システムにおける送受信パケットを説明する図である。
【図２２】本発明に係る通信システムを説明する図である。
【図２３】本発明に係るセルラー通信システム接続装置が備える通信状態関連性テーブルを説明する図である。
【図２４】本発明に係るセルラー通信システム接続方法を説明する図である。
【図２５】本発明に係るセルラー通信システム接続装置が備える仮想端末収容テーブルを説明する図である。
【図２６】ＩｏＴ−ＰＦのＩｏＴデバイス管理ＤＢを説明する図である。
【図２７】本発明に係るセルラー通信システム接続装置が備える仮想端末収容テーブルを説明する図である。
【図２８】ＩｏＴ−ＰＦのＩｏＴデバイス管理ＤＢを説明する図である。
【図２９】本発明に係るセルラー通信システム接続装置が備える端末設定テーブルを説明する図である。
【図３０】ＩｏＴ−ＰＦのＩｏＴデバイス管理ＤＢを説明する図である。
【図３１】本発明に係る通信システムを説明する図である。
【図３２】本発明に係るセルラー通信システム接続装置が備えるパケット振り分けテーブルを説明する図である。
【図３３】本発明に係るセルラー通信システム接続装置が備える端末設定テーブルを説明する図である。
【図３４】本発明に係るセルラー通信システム接続方法を説明する図である。
【図３５】本発明に係る通信システムにおける送受信パケットを説明する図である。
【発明を実施するための形態】
【００２７】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２８】
（実施形態１）
図１は、本実施形態のＩｏＴデータ収集システム６０１を示す構成図である。ＩｏＴデータ収集システム６０１は、
セルラーネットワーク２０内のＩｏＴプラットフォーム２３と、
非セルラーネットワーク１０に接続されたＩｏＴ（Ｉｎｔｅｒｎｅｔ  ｏｆ  Ｔｈｉｎｇｓ）デバイス（４２、４３）の送受信パケットをセルラーネットワーク２０の送受信パケットとして扱う機能を有する１以上の仮想セルラー端末３０３、及び仮想セルラー端末３０３とセルラーネットワーク２０内のコア装置２０３とを接続する１以上の仮想セルラー基地局３０９を形成し、
非セルラーネットワーク１０に接続されたＩｏＴデバイス（４２、４３）の送受信パケットを仮想セルラー端末３０３に振り分け、仮想セルラー端末３０３と仮想セルラー基地局３０９との接続関係を制御して、非セルラーネットワーク１０に接続されたＩｏＴデバイス（４２、４３）をＩｏＴプラットフォーム２３に接続し、
非セルラーネットワーク１０に接続されたＩｏＴデバイス（４２、４３）の送受信パケットをセルラーネットワーク２０の送受信パケットとしてセルラーネットワーク２０との間で転送するセルラー通信システム接続装置３と、
を備える。
【００２９】
詳細には、ＩｏＴデータ収集システム６０１は、非セルラー通信システム１と、セルラー通信システム２と、非セルラー通信システム１に増設する形で具備するセルラー通信システム接続装置３と、ＩｏＴデバイス４と、インターネット部５と、から構成される。ＩｏＴデータ収集システム６０１では、セルラー通信システム接続装置３を非セルラー通信システム１とセルラー通信システム２の間に具備するのみで、セルラー通信システム２上のＩｏＴ−ＰＦ２３で回線種別によらずＩｏＴデバイス４を柔軟かつ統合管理することが可能となる。
【００３０】
なお、図１における実線は機能部間の接続を意味しており、破線矢印は制御情報のやり取りを示している。
【００３１】
非セルラー通信システム１は、ルータやスイッチで構成されて接続部間の通信を提供する非セルラーネットワーク１０と、非セルラーネットワーク１０内に存在してセルラー通信システム接続装置３と接続する転送装置１１と、局内側光回線終端装置であるＯＬＴ（Ｏｐｔｉｃａｌ  Ｌｉｎｅ  Ｔｅｒｍｉｎａｌ）１２と、宅内側光回線終端装置であるＯＮＵ（Ｏｐｔｉｃａｌ  Ｎｅｔｗｏｒｋ  Ｕｎｉｔ）１３と、無線デバイス４２と無線電波１５を介して送受信を行い非セルラーネットワーク１０への接続を仲介する無線ＧＷ（ＧａｔｅＷａｙ）１４と、有線デバイス４３と有線１７を介して送受信を行い非セルラーネットワーク１０への接続を仲介する有線ＧＷ１６と、から構成される。なお、無線電波１５は、無線ＧＷ１４と無線デバイス４２の通信媒体であり、セルラーで利用されている電波とは異なる無線方式を持つ。
【００３２】
セルラー通信システム２は、ルータやスイッチで構成されて接続部間の通信を提供するセルラーネットワーク２０と、セルラーデバイス４１とセルラー電波２２を介して送受信を行いセルラーネットワーク２０への接続を仲介するセルラー基地局２１と、ＩｏＴ−ＰＦ２３と、から構成される。
【００３３】
セルラーネットワーク２０は、セルラー通信システム２に接続されている基地局の情報および状態を管理する基地局ＤＢ２０１と、セルラー通信システム２に接続されている端末の情報および状態を管理する加入者ＤＢ２０２と、セルラーデバイス４１がインターネット部５と通信する際のＧＷとなるコア装置２０３と、セルラー基地局２１と接続してセルラーデバイス４１の接続状態を制御する無線制御装置２０４と、から構成される。ここで、加入者ＤＢ２０２はＨＬＲやＨＳＳを想定しており、加入者ＤＢ２０２で管理する端末の識別情報としてはＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を想定している。コア装置２０３は、３ＧＰＰで規定されているＰ−ＧＷ（Ｐａｃｋｅｔ  ｄａｔａ  ｎｅｔｗｏｒｋ  ＧａｔｅＷａｙ）とＳ−ＧＷ（Ｓｅｒｖｉｎｇ  ＧａｔｅＷａｙ）を想定している。無線制御装置２０４は３ＧＰＰで規定されているＭＭＥ（Ｍｏｂｉｌｉｔｙ  Ｍａｎａｇｅｍｅｎｔ  Ｅｎｔｉｔｙ）を想定している。
【００３４】
ＩｏＴ−ＰＦ２３は、ＩｏＴデバイスの情報および状態を管理するＩｏＴデバイス管理ＤＢ２３１と、クラウド５１内にあるＶＰＮルータ５１１とＶＰＮ５２を接続するためのＶＰＮルータ２３２と、セルラー通信システム２上の端末と管理対象ＩｏＴデバイスの関連付け情報を記載するデバイス管理テーブル２３３と、から構成される。
【００３５】
セルラー通信システム接続装置３は、
非セルラーネットワーク１０に接続されたＩｏＴデバイス（４２、４３）の送受信パケットをセルラーネットワーク２０の送受信パケットとして扱う機能を有する１以上の仮想セルラー端末３０３と、
仮想セルラー端末３０３とセルラーネットワーク２０内のコア装置２０３とを接続する１以上の仮想セルラー基地局３０９と、
非セルラーネットワーク１０に接続されたＩｏＴデバイス（４２、４３）の送受信パケットを仮想セルラー端末３０３に振り分けるパケット振り分け部３０２と、
仮想セルラー端末３０３と仮想セルラー基地局３０９との接続関係を制御して、非セルラーネットワーク１０に接続されたＩｏＴデバイス（４２、４３）をセルラーネットワーク２０内のＩｏＴプラットフォーム２３に接続し、非セルラーネットワーク１０に接続されたＩｏＴデバイス（４２、４３）の送受信パケットをセルラーネットワーク２０の送受信パケットとしてセルラーネットワーク２０との間で転送する仮想端末収容制御部３０６と、
を備える。
【００３６】
詳細には、セルラー通信システム接続装置３は、パケット振り分けテーブル３０２から読み出した情報に基づきパケットを仮想セルラー端末３０３に振り分けるパケット振り分け部３０１と、パケット振り分け部３０１の振り分けルールを記載するパケット振り分けテーブル３０２と、無線デバイス４２と有線デバイス４３の送受信パケットをセルラー通信システムの送受信パケットとして扱う機能と仮想セルラー基地局３０８を介してコア装置２０３および無線制御装置２０４に接続するためのプロトコルを動作できる機能とセルラー通信システム上の端末識別情報を有する機能とから構成される仮想セルラー端末３０３と、端末設定テーブル３０５から読み出した情報に基づき仮想セルラー端末を制御する仮想セルラー端末制御部３０４と、仮想セルラー端末の制御情報が記載されている端末設定テーブル３０５と、仮想端末収容テーブル３０７から読み出した情報に基づき仮想セルラー端末３０３と仮想セルラー基地局３１０の接続関係を制御する仮想端末収容制御部３０６と、仮想セルラー端末３０３と仮想セルラー基地局３１０の接続関係の情報を記載している仮想端末収容テーブル３０７と、基地局設定テーブル３０９から読み出した情報に基づき仮想セルラー基地局の設定を制御する仮想基地局制御部３０８と、仮想セルラー基地局の制御情報が記載されている基地局設定テーブル３０９と、仮想セルラー端末３０３とセルラーネットワーク２０内のコア装置２０３間を接続させる仮想セルラー基地局３１０と、から構成される。ここで、仮想セルラー端末３０３が有する端末識別情報としてはＩＭＳＩを想定しており、仮想セルラー端末３０３の下部に記載されている文面は各仮想セルラー端末が有するＩＭＳＩを示している。
【００３７】
ＩｏＴデバイス４は、通信端末として動作しながら具備しているセンサ等のデバイスにより取得したＩｏＴデータをクラウド５１のデータサーバ５１２に対して送信する機能（以下、ＩｏＴデータ送信と総称する）を有する。本実施形態では、ＩｏＴデバイス４は、セルラーデバイス４１、無線デバイス４２、及び有線デバイス４３である。
【００３８】
セルラーデバイス４１は、セルラー通信システムの端末として動作しながら、セルラー電波２２を介してセルラー基地局２１に接続することでＩｏＴデータ送信を行う。無線デバイス４２は、非セルラー通信システムの端末として動作しながら、セルラー電波とは異なる電波である無線電波１５を介して無線ＧＷ１４に接続することでＩｏＴデータ送信を行う。有線デバイス４３は、非セルラー通信システムの端末として動作しながら、有線１７を介して有線ＧＷ１６に接続することでＩｏＴデータ送信を行う。
【００３９】
なお、図１のＩｏＴデバイス４の（    ）内に本実施例における端末の名称を示している。図１のセルラーデバイス４１の下部に各セルラーデバイスが有するＩＭＳＩを示している。また、図１の無線デバイス４２と有線デバイス４３の下部に各ＩｏＴデバイスが有するＩＰアドレスを示している。
【００４０】
インターネット部５は、インターネット５０と、クラウド５１と、ＩｏＴ−ＰＦ２３とクラウド５１を結ぶＶＰＮ回線を示すＶＰＮ５２と、から構成される。
【００４１】
クラウド５１は、ＩｏＴ−ＰＦ内にあるＶＰＮルータ２３２とＶＰＮ５２を接続するＶＰＮルータ５１１と、ＩｏＴデバイス４から送信されるＩｏＴデータを受信し格納するデータサーバ５１２と、から構成される。なお、データサーバ５１２の下部に各データサーバが有するＩＰアドレスを示している。
【００４２】
次に、本実施形態を構成した際に本通信システムの提供者によって予め設定される図２〜図６の設定情報について説明する。
【００４３】
図２は、本実施形態におけるパケット振り分けテーブル３０２の具体的な設定内容を示したものである。パケット振り分けテーブル３０２は、振り分けルールの適用順を示す振り分け優先順位と、パケットを振り分ける際に用いる識別子と、識別子に合致した下りパケットの転送先ＧＷと、識別子に合致した上りパケットの転送先仮想端末と、で構成されている。
【００４４】
図３は、本実施形態における端末設定テーブル３０５の具体的な設定内容を示したものである。端末設定テーブル３０５は、仮想セルラー端末毎にテーブルを持ち、仮想セルラー端末が起動しているかどうかを示す起動状態と、接続するコア装置２０３を示す接続先コア装置と、で構成されている。
【００４５】
図４は、本実施形態における仮想端末収容テーブル３０７の具体的な設定内容を示したものである。仮想端末収容テーブル３０７は、対象となる仮想セルラー端末３０３を示す仮想セルラー端末名と、当該仮想セルラー端末３０３が接続する仮想セルラー基地局を示す収容先仮想セルラー基地局名と、当該仮想セルラー端末３０３と仮想セルラー基地局３０７の接続状態を示す接続状態と、から構成されている。
【００４６】
図５は、本実施形態における基地局設定テーブル３０９の具体的な設定内容を示したものである。基地局設定テーブル３０９は、仮想セルラー基地局３０７毎にテーブルを持ち、仮想セルラー基地局３０７が起動しているかどうかを示す起動状態と、仮想セルラー基地局の仮想的な位置を示す緯度情報と経度情報と、で構成されている。
【００４７】
図６は、本実施形態におけるデバイス管理テーブル２３３の具体的な設定内容を示したものである。デバイス管理テーブル２３３は、ＩｏＴ−ＰＦの管理対象となる端末のＩＭＳＩと、当該ＩＭＳＩを有するＩｏＴデバイスの名称を示すデバイス名と、から構成されている。
【００４８】
以下、本実施例における動作を説明する。本実施例における動作は、非セルラーデバイス４２〜４３をＩｏＴ−ＰＦ２３の管理対象とする処理である事前処理Ｓ１と、事前処理Ｓ１実施後に定期的に実施される管理処理Ｓ２と、ＩｏＴデバイス４からクラウド５への上り通信処理Ｓ３と、クラウド５からＩｏＴデバイス４への下り通信処理Ｓ４と、から構成されている。
【００４９】
図７は、事前処理Ｓ１の内容を示すものである。事前処理Ｓ１は、仮想セルラー基地局３１０が無線制御装置２０４と接続する仮想セルラー基地局接続処理Ｓ１０１と、仮想セルラー端末３０３がセルラーネットワーク２０に接続する仮想セルラー端末接続処理Ｓ１０２と、ＩｏＴ−ＰＦで管理するデバイスを登録するデバイス登録処理Ｓ１０３と、で成り立っている。
【００５０】
図８は、仮想セルラー基地局接続処理Ｓ１０１の内容を示すものである。まず、仮想セルラー基地局３１０は無線制御装置２０４と接続する（ステップＳ１０１−１）。ステップＳ１０１−１における接続処理は、３ＧＰＰで規定されているＳ１−ＭＭＥインターフェースの接続処理を一例として想定している。次に、無線制御装置２０４は、基地局ＤＢ２０１に仮想セルラー基地局３１０の情報を登録する（ステップＳ１０１−２）。
【００５１】
図９は、本実施例における仮想セルラー基地局接続処理Ｓ１０１実施前後の基地局ＤＢ２０１を示したものである。図９（Ａ）は仮想セルラー基地局接続処理Ｓ１０１実施前の基地局ＤＢ２０１の状態、図９（Ｂ）は仮想セルラー基地局接続処理Ｓ１０１実施後の基地局ＤＢ２０１の状態である。基地局ＤＢ２０１は、基地局の名前を示す基地局名と、当該基地局の接続状態と、当該基地局の位置を示す緯度情報と経度情報と、から構成されている。図９に示すように、本実施形態を採って仮想セルラー基地局接続処理Ｓ１０１を実施することにより、仮想セルラー基地局３０９はセルラー基地局２１と同じようにセルラー通信システム２に接続されることとなる。
【００５２】
図１０は、仮想セルラー端末接続処理Ｓ１０２の内容を示すものである。まず、仮想セルラー端末３０３は仮想端末収容部３０６によって振り分けられた仮想セルラー基地局３０９と接続する（ステップＳ１０２−１）。ステップＳ１０２−１における接続処理は、３ＧＰＰで規定されているＲＲＣ  Ｃｏｎｎｅｃｔｉｏｎ  Ｅｓｔａｂｌｉｓｈｍｅｎｔの処理を一例として想定している。次に、仮想セルラー端末３０３は、仮想セルラー基地局３０９を介して無線制御装置２０４と仮想端末制御部によって設定された接続先コア装置２０３と接続する（ステップＳ１０２−２）。ステップＳ１０２−２における接続処理は、３ＧＰＰで規定されているＬＴＥ  ａｔａｃｃｈ  ｐｒｏｃｅｄｕｒｅを一例として想定している。最後に、無線制御装置２０４とコア装置２０３は仮想セルラー端末３０３の情報を加入者ＤＢに反映する（ステップＳ１０２−３）。
【００５３】
図１１は、本実施例における仮想セルラー端末接続処理Ｓ１０２実施前後の加入者ＤＢ２０２を示したものである。図１１（Ａ）は仮想セルラー端末接続処理Ｓ１０２実施前の加入者ＤＢ２０２の状態であり、図１１（Ｂ）は仮想セルラー端末接続処理Ｓ１０２実施後の加入者ＤＢ２０２の状態である。加入者ＤＢ２０２は、セルラーデバイス４１および仮想セルラー端末３０３の有する端末認証情報であるＩＭＳＩと、セルラーデバイス４１および仮想セルラー端末３０３の通信契約の有無を示す契約状態と、セルラーデバイス４１および仮想セルラー端末３０３の接続しているセルラー基地局を示す在圏基地局情報と、セルラーデバイス４１および仮想セルラー端末３０３の接続しているコア装置２０３を示すコア装置情報と、コア装置２０３からセルラーデバイス４１および仮想セルラー端末３０３に割り当てられたＩＰアドレスを示すＩＰアドレス情報と、セルラーデバイス４１および仮想セルラー端末３０３の累積通信量を示す累積通信量情報と、から構成される。図１１に示すように、本実施形態を採ることにより、仮想セルラー端末３０３をセルラーデバイス４１と同じようにセルラーネットワーク２０に接続し、管理することが可能となる。
【００５４】
図１２は、デバイス登録処理Ｓ１０３の内容を示すものである。ＩｏＴ−ＰＦ２３は、デバイス管理テーブル２３３からＩＭＳＩとＩｏＴデバイスの関連付け情報を読み取り、読み取った情報をＩｏＴデバイス管理ＤＢに登録する。
【００５５】
図１３は、デバイス登録処理Ｓ１０３実施前後のＩｏＴデバイス管理ＤＢ２３１を示したものである。図１３（Ａ）はデバイス登録処理Ｓ１０３実施前のＩｏＴデバイス管理ＤＢ２３１の状態であり、図１３（Ｂ）はデバイス登録処理Ｓ１０３実施後のＩｏＴデバイス管理ＤＢ２３１の状態である。ＩｏＴデバイス管理ＤＢ２３１は、管理対象のＩｏＴデバイスのデバイス名と、ＩｏＴデバイスに対応するセルラーデバイス４１および仮想セルラー端末３０３の有する端末認証情報であるＩＭＳＩと、ＩｏＴデバイスに対応するセルラーデバイス４１および仮想セルラー端末３０３の通信契約の有無を示す契約状態と、ＩｏＴデバイスに対応するセルラーデバイス４１および仮想セルラー端末３０３のセルラーネットワーク２０接続有無を示す通信状態と、ＩｏＴデバイスに対応するセルラーデバイス４１および仮想セルラー端末３０３が接続しているセルラー基地局の位置情報を擬似的なＩｏＴデバイスの存在位置として示す推定位置情報と、ＩｏＴデバイスに対応するセルラーデバイス４１および仮想セルラー端末３０３に割り当てられているＩＰアドレス情報と、ＩｏＴデバイスに対応するセルラーデバイス４１および仮想セルラー端末３０３の累積通信量と、から構成されている。図１３に示すように、本実施形態を採ることにより、非セルラー端末とセルラー端末を同一のＩｏＴ−ＰＦ上に登録することができるとともに、複数の非セルラー端末を一つのＩｏＴデバイスとして登録したり、一つの非セルラー端末を複数のＩｏＴデバイスとして登録したりすることが可能となる。
【００５６】
図１４は管理処理Ｓ２の内容を示すものである。管理処理Ｓ２は、デバイス情報更新処理Ｓ２０１と、で成り立っている。
【００５７】
図１５は、デバイス情報更新処理Ｓ２０１の内容を示すものである。まず、ＩｏＴ−ＰＦ２３は加入者ＤＢ２０１からデバイス管理テーブル２３３に記載されているＩＭＳＩに関する情報を読み取る（ステップＳ２０１−１）。次に、ＩｏＴ−ＰＦ２３は基地局ＤＢ２０２からステップＳ２０１−１で読み取った基地局名に関する情報を読み取る（ステップＳ２０１−２）。最後に、ＩｏＴ−ＰＦ２３はステップＳ２０１−１とステップＳ２０１−２で読み取った情報をＩｏＴデバイス管理ＤＢ２３１に反映する（ステップＳ２０１−３）。
【００５８】
図１６は、デバイス情報更新処理Ｓ２０１を実施した後のＩｏＴデバイス管理ＤＢ２３１の内容を示すものである。本実施形態を採ることにより、非セルラー端末とセルラー端末を同一のＩｏＴ−ＰＦ上で管理とともに、複数の非セルラー端末を一つのＩｏＴデバイスとして管理したり、一つの非セルラー端末を複数のＩｏＴデバイスとして管理したりすることが可能となる。
【００５９】
図１７は、上り通信処理Ｓ３の内容を示すものである。まず、無線デバイス４２または有線デバイス４３は、取得したＩｏＴデータをデータサーバ５１２が宛先のパケットとして無線ＧＷ１４または有線ＧＷ１６へ転送する（ステップＳ３０１）。無線ＧＷ１４または有線ＧＷ１６は、非セルラーネットワーク１０を介してパケット振り分け部３０１に当該パケットを転送する（ステップＳ３０２）。パケット振り分け部３０１は、当該パケットをパケット振り分けテーブル３０２の記載に基づき仮想セルラー端末３０３へ転送する（ステップＳ３０３）。仮想セルラー端末３０３は、当該パケットを自身の送信パケットに変換する（ステップＳ３０４）。ステップＳ３０４の処理は例としてＮＡＰＴ（Ｎｅｔｗｏｒｋ  Ａｄｄｒｅｓｓ  Ｐｏｒｔ  Ｔｒａｎｓｌａｔｉｏｎ）を想定している。仮想セルラー端末３０３は、当該パケットを接続している仮想セルラー基地局３０９へ転送する（ステップＳ３０５）。仮想セルラー基地局３０９は、セルラーネットワーク２０を介してコア装置２０３へ当該パケットを転送する（ステップＳ３０６）。コア装置２０３は、ＶＰＮルータ２３２およびＶＰＮルータ５１１を介してデータサーバ５１２に当該パケットを転送する（ステップＳ３０７）。なお、各処理に必要となるルーティング等のネットワーク設定は適切に行われるものとする。
【００６０】
図１８は、下り通信処理Ｓ４の内容を示すものである。まず、データサーバ５１２は、仮想セルラー端末３０３が宛先のパケットを、ＶＰＮルータ２３２およびＶＰＮルータ５１１を介してコア装置２０３へ転送する（ステップＳ４０１）。コア装置２０３は、セルラーネットワーク２０を介して仮想セルラー基地局３０９へ当該パケットを転送する（ステップＳ４０２）。仮想セルラー基地局３０９は、当該パケットを宛先の仮想セルラー端末３０３へ転送する（ステップＳ４０３）。仮想セルラー端末３０３は、当該パケットを無線デバイス４２または有線デバイス４３への送信パケットに変換する（ステップＳ４０４）。ステップＳ４０４の処理は例としてＮＡＰＴを想定している。仮想セルラー端末３０３は、当該パケットをパケット振り分け部３０１へ転送する（ステップＳ４０５）。パケット振り分け部３０１は、当該パケットをパケット振り分けテーブル３０２の記載に基づき無線ＧＷ１４または有線ＧＷ１６へ転送する（ステップＳ４０６）。無線ＧＷ１４または有線ＧＷ１６は、当該パケットを宛先の無線デバイス４２または有線デバイス４３へ転送する（ステップＳ４０７）。なお、各処理に必要となるルーティング等のネットワーク設定は適切に行われるものとする。
【００６１】
図１９は、上り通信処理Ｓ３を図１の無線デバイス４２（水路計）に適用する際の一例を示すものである。同図に示すように、本実施形態を採ることにより、非セルラーデバイスが送信するＩｏＴデータを、セルラーネットワークを介してデータサーバに収集できるようになるため、非セルラーデバイスの通信状態をＩｏＴ−ＰＦで統合管理できるようになる。下り通信処理は図１９の送受信宛先が入れ替わるのみであるため、説明は割愛する。
【００６２】
図２０は、上り通信処理Ｓ３を図１の無線デバイス４２（温度計）、有線デバイス４３（気圧計）、有線デバイス４３（湿度計）に適用する際の一例を示すものである。同図に示すように、本実施形態を採ることにより、複数非セルラーデバイスが送信するＩｏＴデータを、単一のセルラー端末からのＩｏＴデータとしてデータサーバに収集できるようになるため、複数の非セルラーデバイスの通信状態をＩｏＴ−ＰＦで一括して管理できるようになる。下り通信処理は図２０の送受信宛先が入れ替わるのみであるため、説明は割愛する。
【００６３】
図２１は、上り通信処理Ｓ３を図１の有線デバイス４３（人感センサ付き監視カメラ）に適用する際の一例を示すものである。同図に示すように、本実施形態を採ることにより、単一の非セルラーデバイスが送信するＩｏＴデータを、複数のセルラー端末からのＩｏＴデータとしてデータサーバに収集できるようになるため、単一の非セルラーデバイスの通信状態をＩｏＴ−ＰＦで複数に分割して管理できるようになる。下り通信処理は図２１の送受信宛先が入れ替わるのみであるため、説明は割愛する。
【００６４】
（実施形態２）
図２２は、本実施形態のＩｏＴデータ収集システム６０２を示す構成図である。ＩｏＴデータ収集システム６０２は、図１のＩｏＴデータ収集システム６０１に、非セルラーネットワーク１０に接続されたＩｏＴデバイス（４２、４３）と非セルラーネットワーク１０との接続状態を検知し、仮想セルラー端末３０３の状態と仮想端末収容制御部３０６が制御する前記接続関係を変更するデバイス管理部をさらに備える。本実施形態では、デバイス管理部は通信状態受信機能３１０である。
【００６５】
ＩｏＴデータ収集システム６０２は、この構成を採ることにより、非セルラー通信システムが有する基本的な状態変化通知機能を利用して非セルラー通信システム１の状態変化をセルラー通信システム接続装置３の動作に反映することができ、結果的にＩｏＴ−ＰＦ２３において非セルラーデバイス４２〜４３の通信状態を管理することが可能となる。
【００６６】
以下、本実施形態の構成を図１との差分に絞って説明をする。
【００６７】
通信状態通知機能１８は、非セルラー通信システム１内の各要素に具備できるものであり、非セルラー通信システムの状態を非セルラー通信システム状態情報として通信状態受信機能３１０へ通知する機能を有する。通知する手段の一例として、ＳＭＮＰ（Ｓｉｍｐｌｅ  Ｎｅｔｗｏｒｋ  Ｍａｎａｇｅｍｅｎｔ  Ｐｒｏｔｏｃｏｌ）を想定しており、一般的なネットワーク内の機器が通常有する機能である。
【００６８】
通信状態受信機能３１０は、セルラー通信システム接続装置３内に存在する機能部であり、通信状態通知機能１８から通知された非セルラー通信システム状態情報を受信し、通信状態関連性テーブル３１１の記載に基づき端末設定テーブル３０５と仮想端末収容テーブル３０７の内容を書き換える機能を有する。
【００６９】
通信状態関連性テーブル３１１は、セルラー通信システム接続装置３内に存在する機能部であり、非セルラー通信システム状態情報を受信した際にどのように端末設定テーブル３０５および仮想端末収容テーブル３０７を書き換えるかという規則を記載している。
【００７０】
パケット振り分け部３１２は、図１のパケット振り分け部３０１の有する機能に加えて、通信状態通知機能１８から通知された非セルラー通信システム状態情報のパケットの場合は通信状態受信機能３１０に転送する機能を有する。
【００７１】
また、本実施例の説明のために追記した内容について説明する。無線デバイス４２の下部に当該デバイスのＭＡＣ（Ｍｅｄｉａ  Ａｃｃｅｓｓ  Ｃｏｎｔｒｏｌ）アドレスを記載している。また、有線１７には、当該有線が使用する有線ＧＷ１６のポート番号を記載している。
【００７２】
図２３は、本実施形態における通信状態関連性テーブル３１１の内容を示すものである。通信状態関連性テーブル３１１は、非セルラー通信システム状態情報の通知元および通知内容と、当該非セルラー通信システム状態情報に対する端末設定テーブル３０５と仮想端末収容テーブル３０７の書き換え内容と、から構成されている。
【００７３】
本実施形態におけるその他の設定内容は図２〜図６の内容と同一である。
【００７４】
以下、本実施形態の動作を説明する。
【００７５】
図２４は、非セルラー通信システムの状態変化をセルラー通信システム接続装置３の動作に反映する非セルラー通信システム状態反映処理Ｓ５の内容を示すものである。まず、通信状態通知機能１８は、非セルラー通信システム１の状態変動を検知すると、検知した内容を非セルラー通信システム状態情報として通信状態受信機能３１０に送信する（ステップＳ５０１）。次に、通信状態受信機能は、受信した非セルラー通信システム状態情報と通信状態関連性テーブルの記載に基づき端末設定テーブル３０５と仮想端末収容テーブル３０７の内容を書き換える（ステップＳ５０２）。さらに、仮想端末制御部３０４と仮想端末収容制御部３０６は、書き換えられた端末設定テーブル３０５と仮想端末収容テーブル３０７の内容に基づき、仮想セルラー端末３０３と仮想セルラー端末３０３の収容状態を制御する（ステップＳ５０３）。最後に、仮想セルラー端末３０３は、ステップＳ５０３の制御内容に基づきセルラー通信システムとの制御通信を行う（ステップＳ５０４）。ステップＳ５０４の処理は、例えば仮想セルラー端末３０３の起動状態をオフにしたり、仮想セルラー端末３０３と仮想セルラー基地局３０９の接続を断としたりする場合には３ＧＰＰで規定されているＬＴＥ  ｄｅｔａｃｈ  ｐｒｏｃｅｄｕｒｅを、仮想セルラー端末３０３が収容される仮想セルラー基地局３０９のみ変更される場合には３ＧＰＰで規定されているＬＴＥ  Ｈａｎｄｏｖｅｒ  ｐｒｏｃｅｄｕｒｅを実行することを一例として想定している。
【００７６】
非セルラー通信システムの状態変化をＩｏＴ−ＰＦに反映する動作は、実施形態１における管理処理Ｓ２と同一である。
【００７７】
非セルラー通信システム状態反映処理Ｓ３の実際の動作例をいくつかの具体例で説明する。
【００７８】
［ケースＡ］
ケースＡは、無線デバイス４２（水路計）と無線ＧＷ＃ＡＡの接続が断となった場合である。
無線デバイス４２（水路計）の接続が断となった場合、通信状態通知機能＃ＡＡはＭＡＣ：ＣＣＣＣ・・・の接続断を検知した旨を非セルラー通信システム状態情報として通信状態受信機能３１０に送信する（ステップＳ５０１）。通信状態受信機能３１０は、受信した非セルラー通信システム情報が通信状態関連テーブル３１１の＃１エントリに合致すると判断し、仮想端末収容テーブル３０７における仮想セルラー端末＃１の接続状態を接続なしに変更する（ステップＳ５０２）。ステップＳ５０２の結果、仮想端末収容テーブル３０７の内容は図４から図２５のように変更される。仮想端末収容制御部３０６は、図２５の内容に基づき仮想セルラー端末＃１と仮想セルラー基地局＃Ｘの接続を切断する（ステップＳ５０３）。仮想セルラー端末＃１はステップＳ５０３の制御内容に基づきセルラー通信システム２とＬＴＥ  ｄｅｔａｃｈ  ｐｒｏｃｅｄｕｒｅ通信を行う（ステップＳ５０４）。その後、ＩｏＴ−ＰＦ２３は管理処理Ｓ２を実行する。
【００７９】
図２６は、ケースＡにおいて非セルラー通信システム状態反映処理Ｓ３と管理処理Ｓ２を実施した後のＩｏＴデバイス管理ＤＢ２３１の内容を示すものである。同図に示すように、本実施形態を採ることにより、ＩｏＴ−ＰＦ２３において、無線デバイス４２（水路計）と無線ＧＷ＃ＡＡの接続が断となった状況を把握できることがわかる。
【００８０】
［ケースＢ］
ケースＢは、無線デバイス４２（水路計）が移動して接続先を無線ＧＷ＃ＡＡから無線ＧＷ＃ＢＢへと変更した場合である。
無線デバイス４２（水路計）が接続先を無線ＧＷ＃ＡＡから無線ＧＷ＃ＢＢへと変更した場合、通信状態通知機能＃ＡＡはＭＡＣ：ＣＣＣＣ・・・の接続断を検知した旨を非セルラー通信システム状態情報として通信状態受信機能３１０に送信する。それと同時に、通信状態通知機能＃ＢＢはＭＡＣ：ＣＣＣＣ・・・の接続確立を検知した旨を非セルラー通信システム状態情報として通信状態受信機能３１０に送信する（ステップＳ５０１）。通信状態受信機能３１０は、受信した非セルラー通信システム情報が通信状態関連テーブル３１１の＃６エントリに合致すると判断し、仮想端末収容テーブル３０７における仮想セルラー端末＃１の収容先仮想セルラー基地局を仮想セルラー基地局＃Ｙに変更する（ステップＳ５０２）。ステップＳ５０２の結果、仮想端末収容テーブル３０７の内容は図４から図２７のように変更される。仮想端末収容制御部３０６は、図２７の内容に基づき仮想セルラー端末＃１の接続先を仮想セルラー基地局＃Ｙに変更する（ステップＳ５０３）。仮想セルラー端末＃１はステップＳ５０３の制御内容に基づきセルラー通信システム２とＬＴＥ  Ｈａｎｄｏｖｅｒ  ｐｒｏｃｅｄｕｒｅ通信を行う（ステップＳ５０４）。その後、ＩｏＴ−ＰＦ２３は管理処理Ｓ２を実行する。
【００８１】
図２８は、ケースＢにおいて非セルラー通信システム状態反映処理Ｓ３と管理処理Ｓ２を実施した後のＩｏＴデバイス管理ＤＢ２３１の内容を示すものである。同図に示すように、本実施形態を採ることにより、ＩｏＴ−ＰＦ２３において、無線デバイス４２（水路計）が移動して接続先を無線ＧＷ＃ＡＡから無線ＧＷ＃ＢＢへと変更した状況を把握できることがわかる。
【００８２】
［ケースＣ］
ケースＣは、ＯＬＴ１２とＯＮＵ１３間のリンクが断となり、すべての有線デバイス４３が非セルラーネットワークシステムと接続できなくなった場合である。
ＯＬＴ１２とＯＮＵ１３間のリンクが断となった場合、通信状態通知機能＃ＤＤはＯＮＵとのリンクが断となった旨を非セルラー通信システム状態情報として通信状態受信機能３１０に送信する（ステップＳ５０１）。通信状態受信機能３１０は、受信した非セルラー通信システム情報が通信状態関連テーブル３１１の＃８エントリに合致すると判断し、端末設定テーブル３０５における仮想セルラー端末＃３と仮想セルラー端末＃４の起動状態をオフに変更する（ステップＳ５０２）。ステップＳ５０２の結果、端末設定テーブル３０５の内容は図３から図２９のように変更される。仮想端末制御部３０４は、図２９の内容に基づき仮想セルラー端末＃３と仮想セルラー端末＃４の起動状態をオフにする（ステップＳ５０３）。仮想セルラー端末＃３と仮想セルラー端末＃４はステップＳ５０３の制御内容に基づきセルラー通信システム２とＬＴＥ  ｄｅｔａｃｈ  ｐｒｏｃｅｄｕｒｅ通信を行う（ステップＳ５０４）。その後、ＩｏＴ−ＰＦ２３は管理処理Ｓ２を実行する。
【００８３】
図３０は、ケースＣにおいて非セルラー通信システム状態反映処理Ｓ３と管理処理Ｓ２を実施した後のＩｏＴデバイス管理ＤＢ２３１の内容を示すものである。同図に示すように、本実施形態を採ることにより、ＩｏＴ−ＰＦ２３において、ＯＬＴ１２とＯＮＵ１３間のリンクが断となり、すべての有線デバイス４３が非セルラーネットワークシステムと接続できなくなった状況を把握できることがわかる。
【００８４】
なお、本ケースにおいて仮想セルラー端末＃２の起動状態をオフとしなかったのは、仮想セルラー端末＃２のうち無線デバイス（温度計）の通信が正常なままであるためである。ただし、場合によっては仮想セルラー端末３０３に帰属する１つ以上のＩｏＴデバイスと通信ができなくなったことを契機に、仮想セルラー端末＃２の起動状態をオフにしてもよい。このように、非セルラー通信システムの状態変化とテーブルの書き換え内容は利用する状況と要件に応じて自由に設定することが可能である。
【００８５】
（実施形態３）
図３１は、本実施形態のＩｏＴデータ収集システム６０３を示す構成図である。ＩｏＴデータ収集システム６０３は、図１のＩｏＴデータ収集システム６０１の仮想セルラー端子３０３の少なくとも一つが仮想デュアル端末３１３となったものである。仮想デュアル端末３１３は、前記非セルラーネットワークに接続されたＩｏＴデバイスの送受信パケットを前記非セルラーネットワークの送受信パケットとして扱う機能をさらに有する。
【００８６】
ＩｏＴデータ収集システム６０３は、この構成を採ることにより、非セルラーデバイス４２〜４３をＩｏＴ−ＰＦ２３で管理しつつ、非セルラーデバイス４２〜４３が送信するＩｏＴデータは非セルラー通信システム１０経由でデータサーバ５１２に送信することが可能となる。
【００８７】
以下、本実施形態の構成を図１との差分に絞って説明をする。
【００８８】
仮想デュアル端末３１３は、セルラー通信システム接続装置３内に存在する機能部であり、仮想セルラー端末３０３と同様の通信機能を有するセルラー通信部３１３−１と、非セルラー通信システムと接続してパケットを送受信する非セルラー通信部３１３−２と、仮想デュアル端末３１３で受信したパケットをセルラー通信部３１３−１または非セルラー通信部３１３−２に振り分ける機能を有するシステム振り分け部３１３−３と、から構成される。
【００８９】
仮想端末制御部３１４は、図１の仮想端末制御部３０４の有する機能に加えて、仮想デュアル端末の動作を端末設定テーブル３１５の記載に従って制御する機能を有する。
【００９０】
端末設定テーブル３１５は、図１の端末設定テーブルの有する機能に加えて、仮想デュアル端末３１３の動作設定が記載されている。
【００９１】
パケット振り分け部３１６は、図１のパケット振り分け部３０１の有する機能に加えて、仮想デュアル端末３１３へのパケット振り分けを行う機能を有する。
【００９２】
図３２は、本実施形態におけるパケット振り分けテーブル３０２の内容を示すものである。具体的な記載内容以外は図３と同一であるため、説明は割愛する。
【００９３】
図３３は、本実施形態における端末設定テーブル３１５の内容を示すものである。図３との差分は、仮想デュアル端末３１３に対する設定が記載されている点である。具体的には、非セルラー通信部３１３−１で通信するパケット識別子の情報と、セルラー通信部３１３−２で通信するパケット識別子の情報が記載されている。
【００９４】
本実施形態におけるその他の設定内容は図４〜図６の内容と同一である。
【００９５】
以下、本実施形態の実際の動作を説明する。
【００９６】
図３４は、上り通信処理Ｓ６の内容を示すものである。ステップＳ６０１〜Ｓ６０２の内容はステップＳ３０１〜Ｓ３０２と同一である。パケット振り分け部３１６は、当該パケットを仮想セルラー端末３０３または仮想デュアル端末３１３内のシステム振り分け部３１３−３へ転送する（ステップＳ６０３）。システム振り分け部３１３−３は、当該パケットを端末設定テーブル３１５の記載に基づき、セルラー通信部３１３−１または非セルラー通信部３１３−２に振り分ける（ステップＳ６０４）。非セルラー通信部３１３−２に振り分けられたパケットの場合、非セルラー通信部３１３−２は、当該パケットを非セルラーネットワーク１０、インターネット５０を介してデータサーバ５１２へ転送する（ステップＳ６０５）。セルラー通信部に振り分けられたパケットの場合、セルラー通信部３１３−１は当該パケットを接続している仮想セルラー基地局へ転送する（ステップＳ６０６）。ステップＳ６０７〜Ｓ６０８の内容はステップＳ３０６〜Ｓ３０７の内容と同一である。
【００９７】
図３５は、上り通信処理Ｓ６を図３１の有線デバイス４３（人感センサ付き監視カメラ）に適用する場合の一例を示すものである。本実施形態を採ることにより、単一の非セルラーデバイスが送信するＩｏＴデータを、セルラー端末からのＩｏＴデータとして送信するのみならず、通信の内容に応じてセルラー通信システムと非セルラー通信システムを使い分けてデータサーバに収集できるようになるため、非セルラー通信システムを利用しながら非セルラーデバイスの通信状態をＩｏＴ−ＰＦで管理できるようになる。
【符号の説明】
【００９８】
１：非セルラー通信システム
１０：非セルラーネットワーク
１１：転送装置
１２：ＯＬＴ
１３：ＯＮＵ
１４：無線ＧＷ
１５：無線電波
１６：有線ＧＷ
１７：有線
２：セルラー通信システム
２０：セルラーネットワーク
２１：セルラー基地局
２２：セルラー電波
２３：ＩｏＴ−ＰＦ
２０１：基地局ＤＢ
２０２：加入者ＤＢ
２０３：コア装置
２０４：無線制御装置
２３１：ＩｏＴデバイス管理ＤＢ
２３２：ＶＰＮルータ
２３３：デバイス管理テーブル
３：セルラー通信システム接続装置
３０１：パケット振り分け部
３０２：パケット振り分けテーブル
３０３：仮想セルラー端末
３０４：仮想セルラー端末制御部
３０５：端末設定テーブル
３０６：仮想端末収容制御部
３０７：仮想端末収容テーブル
３０８：仮想基地局制御部
３０９：基地局設定テーブル
３１０：仮想セルラー基地局
３１１：通信状態関連性テーブル
３１２：パケット振り分け部
３１３：仮想デュアル端末
３１４：仮想端末制御部
３１５：端末設定テーブル
３１６：パケット振り分け部
４：ＩｏＴデバイス
４１：セルラーデバイス
４２：無線デバイス
４３：有線デバイス
５：インターネット部
５１：クラウド
５２：ＶＰＮ
５１１：ＶＰＮルータ
５１２：データサーバ
６０１〜６０３：ＩｏＴデータ収集システム
【図１】
2019009546.tif 000003
【図２】
2019009546.tif 000004
【図３】
2019009546.tif 000005
【図４】
2019009546.tif 000006
【図５】
2019009546.tif 000007
【図６】
2019009546.tif 000008
【図７】
2019009546.tif 000009
【図８】
2019009546.tif 000010
【図９】
2019009546.tif 000011
【図１０】
2019009546.tif 000012
【図１１】
2019009546.tif 000013
【図１２】
2019009546.tif 000014
【図１３】
2019009546.tif 000015
【図１４】
2019009546.tif 000016
【図１５】
2019009546.tif 000017
【図１６】
2019009546.tif 000018
【図１７】
2019009546.tif 000019
【図１８】
2019009546.tif 000020
【図１９】
2019009546.tif 000021
【図２０】
2019009546.tif 000022
【図２１】
2019009546.tif 000023
【図２２】
2019009546.tif 000024
【図２３】
2019009546.tif 000025
【図２４】
2019009546.tif 000026
【図２５】
2019009546.tif 000027
【図２６】
2019009546.tif 000028
【図２７】
2019009546.tif 000029
【図２８】
2019009546.tif 000030
【図２９】
2019009546.tif 000031
【図３０】
2019009546.tif 000032
【図３１】
2019009546.tif 000033
【図３２】
2019009546.tif 000034
【図３３】
2019009546.tif 000035
【図３４】
2019009546.tif 000036
【図３５】
2019009546.tif 000037